(57)【要約】【課題】運行開始前の走行時における警告音鳴動を回避し、また煩雑な作業を伴わずに確実に動作モードを陸送モードから運行モードへ変更することが可能な車両運行情報収集装置を提供する。【解決手段】動作モード情報が陸送モードのときに、運行情報記憶媒体４１が装着されたことを検知すると、動作モード情報変更手段１２ｃが、動作モード情報を陸送モードから運行モードへ変更する。このため、最初の運行開始時に運行情報記憶媒体４１を装着することにより、別段の設定作業を行うことなく、動作モードを変更することができる。【選択図】図１
2008129786.tif 000002
【特許請求の範囲】
【請求項１】
車両の運行状況の変化に応じて発生する運行情報の収集が不能な陸送モードと、前記陸送モードからの遷移に応じて前記運行情報の収集を可能とする運行モードと、の何れのモードであるかを示す動作モード情報を記憶する動作モード情報記憶手段を有し、前記動作モード情報記憶手段が記憶している動作モード情報が運行モードのときに、前記運行情報を収集して着脱自在の運行情報記憶媒体に記憶する車両運行情報収集装置において、
前記動作モード情報記憶手段が記憶している動作モード情報が陸送モードのときに、前記運行情報記憶媒体の装着を検出する装着検出手段と、
前記装着検出手段による運行情報記憶媒体の装着の検出に応じて、前記動作モード情報記憶手段が記憶している動作モード情報を運行モードに変更する動作モード情報変更手段と、
前記動作モード情報記憶手段が記憶している動作モード情報が、陸送モードのときには警告を行わずかつ運行モードのときに前記運行情報記憶媒体が装着されていないことを警告する警告手段と、
を有することを特徴とする車両運行情報収集装置。
【請求項２】
前記運行情報の収集に必要な初期設定が行われていない未完了状態と、前記初期設定の完了により前記未完了状態から遷移する完了状態と、の何れの状態であるかを示す設定状態情報を記憶している設定状態情報記憶手段を有し、
前記動作モード情報変更手段は、前記設定状態情報記憶手段が記憶している設定状態情報が完了状態のときに、前記装着検出手段による運行情報記憶媒体の装着の検出に応じて、前記動作モード情報記憶手段が記憶している動作モード情報を運行モードに変更する手段であることを特徴とする請求項１に記載の車両運行情報収集装置。
【発明の詳細な説明】
【技術分野】
【０００１】
本発明は、車両の運行情報を運行情報記憶媒体に記録する車両運行情報収集装置に関し、より詳細には、運行時に運行情報記憶媒体が装着されていない場合に警告を発する車両運行情報収集装置に関するものである。
【背景技術】
【０００２】
車両運行情報収集装置は、貨物輸送用トラックおよびタクシーなど、営業目的の走行（以下運行）を行う車両の安全管理、経済管理および労務管理に用いる運行情報を収集する。具体的には、エンジン回転数および走行距離などの運行時の車両状態に関する情報、並びに荷物の積み卸し、乗客の乗降および休憩時間などの各種運行状況に関する情報を、計測または手入力にて収集し、これら運行情報をその装置に装着された着脱可能な運行情報記憶媒体である運行カードに記録する。
【０００３】
車両運行時には、運行情報を記録することが法令で義務づけられている。そのため、運行を開始するときには、運行情報を記録するための運行カードを車両運行情報収集装置に装着する必要がある。そして車両運行情報収集装置は、運行カードを装着せずに運行した場合に、運行カード未装着を警告する機能を有している。
【０００４】
運行時には、運行情報の記録が必要なので、運行カード未装着を警告する機能は非常に有益である。しかし、例えば車両納入時に納入場所まで陸送するなどの、運行記録を必要としない営業目的以外の走行をするときは、運行カード未装着のまま車両を移動させることがある。このとき、短い距離を移動させるにも警告を発するので、非常に煩わしく作業効率の低下を招くおそれがあった。
【０００５】
この問題を解決するため、運行以外の走行では、運行カード未装着の警報動作を行わない動作モードを、車両運行情報収集装置に設けていた（例えば特許文献１参照）。
【０００６】
特許文献１に示された車両運行情報収集装置は、陸送モードフラグを有し、そのフラグがＯＮの場合は、運行カード未装着の警告動作を行わない（以下陸送モード）。陸送モードフラグは、設定カード（特許文献１の陸送情報記憶媒体または陸送キャンセル情報記憶媒体）によって、ＯＮまたはＯＦＦに設定され、車両走行時に適切なフラグ設定にすることにより、運行カード未装着の警報動作を有効または無効にしていた。
【０００７】
実際には、以下のように、陸送モードフラグの設定が行われていた。車両運行情報収集装置の出荷時は、陸送モードフラグがＯＮに設定され、その装置が取り付けられた車両は納入場所まで陸送される。その後、納入場所でその装置の初期設定を行い、それと同時に陸送モードフラグをＯＦＦ（すなわち、運行カード未装着の警告を行う。以下運行モード）する作業を行っていた。具体的には、設定情報および陸送キャンセル情報が記憶された設定カードを車両運行情報収集装置に装着することで、初期設定作業および陸送モードフラグＯＦＦ作業を同時に行っていた。また納入車両が１台ずつ到着する度に上記設定を行うのでは、作業が繁雑になり効率が悪いため、車両台数がある程度まとまった時点で、複数の車両に対して一斉に上記設定作業を行っていた。
【特許文献１】特許公開２００２−１５７６２１
【発明の開示】
【発明が解決しようとする課題】
【０００８】
しかし、納入場所へ陸送後に、車両運行情報収集装置の陸送モードフラグをＯＦＦ（すなわち、運行モード）に変更したものの、例えば最初の運行が数ヶ月先を予定しているなど、運行開始までに期間がある車両において、その間も運行以外の走行を行わなければならない場合がある。その場合、運行モードに変更されているので、運行カード未装着で走行すると、走行中に警告音が鳴動して運転に支障をきたすという問題があった。
【０００９】
この問題の対策として、納入場所への陸送後は初期設定作業のみ実施し、最初の運行開始直前に陸送モードから運行モードへの動作モード変更作業を実施することで、運行開始前の運行以外の走行における警報動作を回避することが可能になる。しかし運行開始の度に発生する動作モード変更作業が煩雑であり、さらに作業ミスにより運行モードへの変更がされず陸送モードのままであった場合、運行カード未装着の警報動作を行わないため、運行カード未装着に気がつかずに、法令で義務づけられた運行情報を記録せずに運行してしまうおそれがあるという問題点があった。
【００１０】
したがって本発明の目的は、運行開始前の運行以外の走行時における警告動作を回避し、また煩雑な作業を伴わず、確実に動作モードを陸送モードから運行モードへ変更することが可能な車両運行情報収集装置を提供することにある。
【課題を解決するための手段】
【００１１】
上記課題を解決するために本発明によりなされた請求項１記載の車両運行情報収集装置は、図１の基本構成図に示すように、車両の運行状況の変化に応じて発生する運行情報の収集が不能な陸送モードと、前記陸送モードからの遷移に応じて前記運行情報の収集を可能とする運行モードと、の何れのモードであるかを示す動作モード情報を記憶する動作モード情報記憶手段１１ａを有し、前記動作モード情報記憶手段１１ａが記憶している動作モード情報が運行モードのときに、前記運行情報を収集して着脱自在の運行情報記憶媒体４１に記憶する車両運行情報収集装置において、前記動作モード情報記憶手段１１ａが記憶している動作モード情報が陸送モードのときに、前記運行情報記憶媒体４１の装着を検出する装着検出手段１２ｂと、前記装着検出手段１２ｂによる運行情報記憶媒体の装着の検出に応じて、前記動作モード情報記憶手段１１ａが記憶している動作モード情報を運行モードに変更する動作モード情報変更手段１２ｃと、前記動作モード情報記憶手段１１ａが記憶している動作モード情報が、陸送モードのときには警告を行わずかつ運行モードのときに前記運行情報記憶媒体４１が装着されていないことを警告する警告手段１２ａと、を有することを特徴とする。
【００１２】
請求項２記載の本発明の車両運行情報収集装置は、図１の基本構成図に示すように、運行に必要な初期設定が行われていない未完了状態と、初期設定の完了により前記未完了状態から遷移する完了状態と、の何れの状態であるかを示す設定状態情報を記憶している設定状態情報記憶手段１１ｂを有し、前記動作モード情報変更手段１２ｃは、前記設定状態情報記憶手段１１ｂが記憶している設定状態情報が完了状態のときに、前記装着検出手段１２ｂによる運行情報記憶媒体の装着の検出に応じて、前記動作モード情報記憶手段１１ａが記憶している動作モード情報を運行モードに変更することを特徴とする。
【００１３】
上記請求項１に記載した本発明の車両運行情報収集装置によれば、動作モード情報が陸送モードのときに、運行情報記憶媒体４１の装着を検知すると、動作モード情報変更手段１２ｃが、動作モード情報を陸送モードから運行モードに変更する。このため、最初の運行開始時に運行情報記憶媒体４１を装着することにより、別段の設定作業を行うことなく、動作モードを変更することができる。
【００１４】
上記請求項２に記載した本発明の車両運行情報収集装置によれば、初期設定の未完了状態／完了状態を記憶する設定状態情報記憶手段１１ｂを有し、動作モード情報変更手段１２ｃは、初期設定が完了状態、かつ動作モードが陸送モードのときに、運行情報記憶媒体４１が装着されたことを検知すると、前記動作モード情報を陸送モードから運行モードに変更する。このため、初期設定が完了した車両運行情報収集装置のみ、動作モードの変更が可能であり、初期設定未完了の車両運行情報収集装置において、動作モードが変更されてしまうことを防ぐことが可能となる。
【発明の効果】
【００１５】
以上説明したように、請求項１に記載の本発明によれば、最初の運行開始時に運行情報記憶媒体４１を装着することにより、動作モード情報を陸送モードに変更することができる。すなわち、運行情報記憶媒体４１の装着を起点として、動作モードを陸送モードから運行モードへ自動で変更することができ、動作モードを変更するタイミングを、初期設定作業を行う時点から最初の運行開始直前にすることが可能となる。
【００１６】
このため、運行情報記憶媒体４１の装着が不要な、運行開始前の運行以外の走行時では、陸送モードであるので、運行カード未装着の警告音が鳴動することはなく、また最初に運行カードを装着する時点で動作モードが運行モードに変更されるので、動作モード変更のための別段の設定作業が不要となる。
【００１７】
よって、運行開始前の走行時に、警告音鳴動によって運転に支障が出ることを回避することができ、また人手を伴う煩雑な設定作業から解放される。さらに、運行カードを装着するという、運行開始時に行う通常の操作によって動作モードを変更できるので、作業ミスによる、動作モード情報の変更もれを防ぐことができる。
【００１８】
請求項２に記載の本発明は、請求項１に記載の発明の効果に加え、初期設定が完了した車両運行情報収集装置のみ動作モードの変更が可能であり、初期設定未完了の装置の動作モードが変更されてしまうことを防ぐことが可能となる。
【００１９】
このため初期設定未完了の車両運行情報収集装置において運行情報記憶媒体４１が装着された場合に運行モードに変更されることはなく、初期設定未完了による不正な運行情報が記録されることを防ぐことができる。
【発明を実施するための最良の形態】
【００２０】
以下、本発明の一実施形態にかかる車両運行情報収集装置を、図２乃至図６を参照して説明する。
【００２１】
図２において、本発明の第１の実施形態にかかる車両運行情報収集装置（以下装置）１は、例えば貨物輸送用トラックに搭載され、ハンディターミナル２０並びに走行センサ、エンジン回転センサなどの各種車両センサ（図示せず）が接続されている。また装置１の有するスロット１４には着脱可能な運行情報記憶媒体（以下運行カード）４１または装置１の初期設定を行う設定カード４２が装着される。
【００２２】
ハンディターミナル２０は、運転者及び同乗者に関する情報、運行情報を取得する際に必要な情報、および運行状態における各種イベントに関する情報を入力するもので、必要な情報を示すファンクションキー、数値を入力するテンキー、入力操作、情報の確認等を行う際の表示を行う表示部などを備えている。
【００２３】
運行カード４１および設定カード４２には、その内部に例えばフラッシュメモリのような書換可能な不揮発性メモリを有するメモリカード（以下ＣＦカード４０）を用いている。また運行カード４１および設定カード４２は、それぞれを区別するための識別情報をその内部に有している。
【００２４】
一方、車両の運行を管理する車両管理事務所などに設置される車両運行情報解析装置５は、あらかじめ定めたプログラムに従って動作するパーソナルコンピュータ（パソコン）５０を有する。パソコン５０は、パソコン本体と、これに接続されたキーボード、モニタを有して構成されている。そして、このパソコン５０には、装置１から取り外した運行カード４１から運行情報を読み取るリーダライタ３０と、このリーダライタ３０によってパソコン５０に入力された運行情報の解析結果を紙に出力するためのプリンタ６０が接続されている。なお、リーダライタ３０は、ＣＦカード４０の挿入／排出をおこなうスロット３０ａを有する。
【００２５】
次に、装置１の構成について図３を参照して説明する。１０はマイクロコンピュータ（μＣＯＭ）を示し、その内部にはＥＥＰＲＯＭ１１、ＣＰＵ１２、ＲＡＭ１３およびＩ／Ｏ１４を有する。
【００２６】
ＥＥＰＲＯＭ１１は電気的消去／書換え可能な読み出し専用の不揮発性メモリであり、図４に示すように、その領域の一部に所定のプログラムおよび固定データが格納されるプログラム領域１１０、並びに初期設定情報、動作モード情報などの事後的に変更が必要な情報が記憶される情報管理領域１１１を有する。また前記プログラム領域１１０の一部に、後述する図５に示す処理を行うプログラムが格納されている。
【００２７】
ＣＰＵ１２は中央演算処理装置を示し、ＣＰＵ１２はＥＥＰＲＯＭ１１にあらかじめ格納された制御プログラムに従って動作する。ＲＡＭ１３は読み出し書込み自在のメモリを示し、ＣＰＵ１２の処理の過程で発生する各種のデータを格納するデータエリアと、処理の際に使用するワークエリア等を有する。Ｉ／Ｏ１４は周辺機能との入出力制御部であり、リーダライタ部１５、ブザー部１６およびハンディターミナル２０（図３においては省略）が接続され、また図示しない走行センサ、エンジン回転センサなどの各種車両センサも接続され、各種情報の入出力が行われる。
【００２８】
リーダライタ部１５には、図２に示すスロット１４に挿入されたＣＦカード４０が接続される。リーダライタ部１５は、ＣＰＵ１１に対してＣＦカード４０の装着状態を出力し、また、リーダライタ部１５を介して、ＣＦカード４０への運行情報等の書込みおよび初期設定情報等の読み出しが行われる。
【００２９】
ブザー部１５はＣＰＵ１２の制御に基づき警告音を鳴動する。ＣＰＵ１２は、各種情報に基づいて警告出力を判断した場合、Ｉ／Ｏ１４を介してブザー部を制御する信号を出力する。
【００３０】
運行カード４１および設定カード４２は、図２のスロット１４に挿入され、リーダライタ部１５に装着される。ＣＰＵ１２は、リーダライタ部１５およびＩ／Ｏ１４を介して、それらＣＦカード４０にアクセスする。運行カード４１には、装置１が収集する運行情報が記録される。設定カード４２には、車両に関するパラメータ、ＳＳ店コード、販売店名などの各種設定情報があらかじめ記憶されており、それら情報は、設定カード４２装着時に、装置１に取り込まれる。
【００３１】
次にμＣＯＭ１０に内蔵するＥＥＰＲＯＭ１１のメモリマップについて、図４を参照して説明する。
【００３２】
プログラム領域１１０には、ＣＰＵ１２によって読み出される制御プログラム１１０ａが格納されており、ＣＰＵ１２はその制御プログラム１１０ａに従い、運行情報収集に係る動作を実行する。
【００３３】
情報管理領域１１１には、動作モード情報１１１ａ、設定状態情報１１１ｂ、車両パラメータ１１１ｃ、ＳＳ店コード１１１ｄおよび販売店名１１１ｅをそれぞれ格納する領域が設けられている。
【００３４】
動作モード情報１１１ａは、装置１の動作モードである陸送モード／運行モードを示す情報を格納する領域であり、図１に示す動作モード情報記憶手段１１ａに対応する。装置出荷時には陸送モードに設定されている。
【００３５】
設定状態情報１１１ｂは、装置１の初期設定の未完了状態／完了状態を示す情報を格納する領域であり、図１に示す設定状態情報記憶手段１１ｂに対応する。装置出荷時には未完了状態に設定されている。
【００３６】
車両パラメータ１１１ｃは、装置１を取り付けた車両に関する情報を格納する領域であり、例えば車両センサで検知した原情報を、運行情報として記録する形式に変換するためのパラメータ、荷積／荷卸などの車両固有の運行状況に対応する値等が設定される。
【００３７】
ＳＳ店コード１１１ｄおよび販売店名１１１ｅは、装置１の初期設定時に設定カードから読み出したＳＳ店コードおよび販売店名の各情報を格納する領域である。装置１内部にＳＳ店コードおよび販売店名に関する情報を記憶することにより、後日装置１に不具合が発生した場合に、不具合の種別、発生頻度などについてＳＳ店および販売店ごとの統計情報を作成し、指導および業務改善を図るために利用することができる。
【００３８】
次に図３に示す装置１のＣＰＵ１２が行う本発明にかかる処理（動作モード移行判定処理）の概要を、図５に示すフローチャートを参照して説明する。
【００３９】
装置１の電源が投入されると、ステップＳ１では、図３のリーダライタ部１５にＣＦカード４０が装着されているかを判断する。ＣＦカード４０が装着されていると判断すると（ステップＳ１のＹ）ステップＳ２に進む。また、装着されていないと判断すると（ステップＳ１のＮ）ステップＳ８に進む。このＣＦカード４０の装着の判断は、ＣＦカード４０が所定の位置に装着されたことに基づく機械的方法によってもよいし、電気的にＣＰＵ１２からＣＦカード４０にアクセス可能になったことに基づいてもよい。
【００４０】
ステップＳ２では、図４に示す動作モード情報１１１ａを参照することによって、ＣＦカード４０が装着された場合における動作モードを判定する。動作モード情報１１１ａが運行モードの場合はステップＳ３に進む。また、陸送モードの場合はステップＳ４に進む。
【００４１】
ステップＳ３では、運行モードにおいて装着されたＣＦカード４０の種別を判定する。ＣＦカード４０はその内部に識別情報を有しており、ＣＰＵ１２はその識別情報によってＣＦカード４０種別を判定する。ＣＦカード４０種別が運行カードの場合は、通常の運行時における動作を実行するものと判断し、動作モード移行判定処理を終了する。ＣＦカード４０種別が設定カードの場合は、既存の設定を変更する処理を実行すると判断し、初期設定を実行するステップＳ７に進む。
【００４２】
ステップＳ４では、陸送モードにおいて装着されたＣＦカード４０の種別を判定する。ＣＦカード４０の種別が運行カードの場合は、装置１において最初の運行処理を開始するものと判断し、運行処理の開始可否を判定するステップＳ５に進む。また、ＣＦカード４０種別が設定カードの場合は、初期設定を実行すると判断し、ステップＳ７へ進む。なお、前記ステップＳ１、前記ステップＳ２および本ステップＳ４は請求項の装着検出手段に相当する。
【００４３】
ステップＳ５では、装置１の設定状態に基づき、動作モード情報１１１ａの変更可否を判定する。装置１において初期設定が未完了の場合は、不正な運行情報を記録するおそれがあるため、運行モードに移行させることはできない。そのため本ステップにおいては、図４に示す設定状態情報１１１ｂを参照することによって、装置１の初期設定の完了／未完了の状態を判定する。設定状態情報１１１ｂが完了状態のとき、初期設定が完了していると判断し、動作モード情報１１１ａを運行モードに変更するステップＳ６に進む。また、設定状態情報１１１ｂが未完了状態のとき、初期設定が完了していないと判断し、適切でないＣＦカード４０が装着された旨の警告を行うためステップＳ９に進む。
【００４４】
ステップＳ６では、装置１の動作モード情報１１１ａの変更を行う。動作モード情報１１１ａの領域に運行モードを示す情報を書込み、動作モード移行判定処理を終了する。なお、上記ステップＳ５および本ステップＳ６は請求項の動作モード情報変更手段に相当する。
【００４５】
ステップＳ７では、装置１の初期設定を行う。陸送モードおよび運行モードにおいて、設定カードが装着されたことを判断すると本ステップに進む。つまり動作モードに関係なく、設定カードが装着されたときは初期設定処理を実行する。初期設定処理では、主に図４に示す情報管理領域１１１の各種情報を設定する。初期設定後、動作モード移行判定処理を終了する。
【００４６】
ステップＳ８では、動作モード情報１１１ａを参照することによって、ＣＦカード４０が装着されていない場合における動作モードを判定する。動作モード情報１１１ａが運行モードの場合は、運行カード未装着の警告を行うためステップＳ９に進む。また、動作モード情報１１１ａが陸送モードの場合は、動作モード移行判定処理を終了する。
【００４７】
ステップＳ９では、利用者への各種警告をおこなう。動作モード情報１１１ａが運行モード、かつ運行カード４１が装着されていない場合は、運行カード未装着である旨の警告を行う。また、設定状態情報１１１ｂが未完了状態、かつ運行カード４１が装着された場合は、不適切なＣＦカード４０が装着された旨の警告を行う。警告後、動作モード移行判定処理を終了する。なお、本ステップＳ９は請求項の警告手段に相当する。
【００４８】
次に本発明に係る処理による動作モード情報の遷移例について、図６を参照して説明する。
【００４９】
Ｓは動作モード情報１１１ａに設定されている情報の遷移を示し、図の右に向かって時間が進む。Ｅ１乃至Ｅ５は装置１に対して発生するイベントであり、Ｅ１からＥ５まで順に発生する。
【００５０】
出荷Ｅ１では、装置１の動作モード情報１１１ａは陸送モードに、設定状態情報１１１ｂは未完了状態に設定されている。前述のとおり、陸送モードにおいては、運行情報収集動作および運行カード未装着の警告動作を行わない。
【００５１】
車両に取付Ｅ２では、車両への物理的取付けであり、装置１の動作モード情報は遷移しない。車両への取付け後、その車両は納入場所へ陸送されるが、この時点でも陸送モードであるため、運行情報収集動作および運行カード未装着の警告動作を行わない。
【００５２】
運行開始Ｅ３は、車両の移送先において、初期設定より前に誤って運行カードが装着された場合を示す。Ｅ３の時点では装置１の初期設定が行われていない（未完了状態）ので、適切でないＣＦカード４０が装着されたものと判断し、動作モード情報は変更せず、陸送モードを継続する。
【００５３】
初期設定Ｅ４では、設定カードによる装置１の初期設定を行い、設定状態情報１１１ｂを完了状態に遷移させる。また、初期設定後も運行以外の走行が想定されるため、この時点でも動作モード情報１１１ａは陸送モードのままである。
【００５４】
運行開始Ｅ５では、陸送モードかつ初期設定が完了しており、その状態で運行カードの装着を検出することによって、最初の運行開始を判断し装置１の動作モード情報１１１ａを運行モードに遷移させる。以降、運行モードを継続し、運行カードに収集した運行情報を記憶する動作を行う。
【００５５】
以上、説明したとおり、本実施形態では、運行開始時に運行カード４１を装着することによって、車両運行情報収集装置１の動作モード情報１１１ａを運行モードに変更する。それにより、別段の作業を行うことなく、運行開始直前に陸送モードから運行モードへの遷移を行うことができる。すなわち、初期設定の時点（図６のＥ４）ではなく、実際に運行が開始される直前（図６のＥ５）まで、陸送モードを維持することができるため、運行開始までは、運行情報の収集および運行カード未装着の警告動作が行われず、運行以外の走行において、煩わしい警告がなくなるので、作業に支障が出ることを防ぐことができる。
【００５６】
また、運行カード４１は運行開始時に装着されるため、動作モード情報１１１ａを変更するための作業が不要になり、作業ミスによる動作モード情報１１１ａの変更もれを防ぐことができる。
【００５７】
さらに動作モード情報１１１ａの変更に際し、装置１の初期設定が行われているかを判断することで、初期設定未実施の装置１に対し動作モード情報１１１ａを変更することを防ぎ（図６のＥ３）、初期設定未実施の装置１における不正な運行情報の収集を未然に防止することが可能である。
【００５８】
また、上述した実施形態では、動作モード情報記憶手段１１ａに記憶されている動作モード情報を、動作モード情報変更手段１２ｃが変更する場合に、設定状態情報記憶手段１１ｂに記憶されている設定状態情報に基づいて、運行モードへの変更可否を判定しているが、この設定状態情報の判定を省略した実施形態としても良い。これにより、運行カードの装着のみで運行モードへの遷移が可能になるため、設定カードによる初期設定作業を省略することができ、作業コストを軽減することが可能となる。
【００５９】
なお、前述した実施形態は本発明の代表的な形態を示したに過ぎず、本発明は、実施形態に限定されるものではない。すなわち、本発明の骨子を逸脱しない範囲で種々変形して実施することができる。
【図面の簡単な説明】
【００６０】
【図１】本発明の車両運行情報収集装置の基本構成図である。
【図２】本発明の一実施形態による車両運行情報収集装置が適用されるシステムの概略構成を示す図である。
【図３】図２の車両運行情報収集装置１の構成を示すブロック図である。
【図４】図３のＥＥＰＲＯＭ１１のメモリマップの一例を示す図である。
【図５】図３のＣＰＵ１２が行う動作モード移行判定処理の概要を示すフローチャートである。
【図６】本発明の車両運行情報収集装置の動作モードの遷移例を示す図である。
【符号の説明】
【００６１】
１      車両運行情報収集装置
１１    ＥＥＰＲＯＭ
１１ａ  動作モード情報記憶手段
１１ｂ  設定状態情報記憶手段
１２    ＣＰＵ
１２ａ  警告手段
１２ｂ  装着検出手段
１２ｃ  動作モード情報変更手段
４１    運行情報記憶媒体（運行カード）
【図１】
2008129786.tif 000003
【図２】
2008129786.tif 000004
【図３】
2008129786.tif 000005
【図４】
2008129786.tif 000006
【図５】
2008129786.tif 000007
【図６】
2008129786.tif 000008